(57)【要約】      （修正有）【課題】館内自主放送装置から生成されるＲＦ信号の信号品質の向上を図る。【解決手段】自主放送システムは、自主放送対象の映像信号および音声信号の入力を受けて、所定のクロック信号に基づいてＲＦ信号を生成するＲＦ信号生成部１９と、周波数設定信号に基づいて前記ＲＦ信号生成部で用いるクロック信号の周波数を調整するクロック信号調整部１５と、生成されたＲＦ信号について、その監視対象項目として少なくともＭＥＲを計測する計測手段２２ａと、前記クロック信号の周波数の初期値を用いて生成されたＲＦ信号について計測されたＭＥＲの計測値が所定値以下である場合、前記周波数設定信号により前記クロック信号の周波数を所定の範囲内で変化させて計測されたＭＥＲのピーク値に対応する前記周波数設定信号の値を求め、自主放送の送出時に前記求められた周波数設定信号の値を設定する制御部２７とを備える。【選択図】図２
2014049806.tif 000002
【特許請求の範囲】
【請求項１】
自主放送対象の映像信号および音声信号の入力を受けて、所定のクロック信号に基づいてＲＦ信号を生成するＲＦ信号生成部と、
周波数設定信号に基づいて前記ＲＦ信号生成部で用いるクロック信号の周波数を調整するクロック信号調整部と、
前記ＲＦ信号生成部により生成されたＲＦ信号について、その監視対象項目として少なくともＭＥＲを計測する計測手段と、
前記クロック信号の周波数の初期値を用いて前記ＲＦ信号生成部で生成されたＲＦ信号について前記計測手段により計測されたＭＥＲの計測値が所定値以下である場合、前記周波数設定信号により前記クロック信号の周波数を所定の範囲内で変化させて前記計測手段により計測されたＭＥＲのピーク値に対応する前記周波数設定信号の値を求め、自主放送の送出時に前記求められた周波数設定信号の値を設定する制御手段と
を備えた自主放送システム。
【請求項２】
前記ＲＦ信号生成部は、前記周波数設定信号としてのデジタルデータを受けて対応するアナログ電圧を生成し、前記クロック信号調整部へ出力するデジタルアナログ変換器を含む請求項１に記載の自主放送システム。
【請求項３】
各監視対象項目について警告を発する基準値となる警告値を登録する手段をさらに備え、
前記制御手段は、前記計測手段により得られた各監視対象項目の計測値を前記警告値と比較し、前記計測値が前記警告値より劣化したとき、警告信号を発生し、および／または通信ネットワーク経由でホストサーバ側へその異常の発生および異常の内容を通知する
請求項１または２に記載の自主放送システム。
【請求項４】
デジタル放送の受信アンテナから受信されたＲＦ信号を前記ＲＦ信号生成部から生成されたＲＦ信号と混合する混合器をさらに備え、
前記計測手段は、前記混合器の出力を受ける放送チューナおよびこの放送チューナで選局された信号を復調する復調器とを有し、
前記計測手段は、定期的に予め定められた監視対象項目を計測し、前記制御手段は当該計測結果を通信ネットワーク経由でホストサーバへ送信する請求項１〜３のいずれかに記載の自主放送システム。
【請求項５】
前記監視対象項目は、特定のチャンネルの信号レベル、ＭＥＲ、Ｃ／Ｎ、ＢＥＲの少なくとも１つである請求項１〜４のいずれかに記載の自主放送システム。
【請求項６】
前記ＲＦ監視装置は、前記ＲＦ信号を受けて他のＲＦ信号と混合する混合器の出力を受ける放送チューナと、この放送チューナの出力を復調する復調器を備える請求項１〜３のいずれかに記載の自主放送システム。
【請求項７】
前記制御手段は、ホストサーバからの要求に応じてステータス情報を送信する、または、自主的にステータス情報をホストサーバへ送信する請求項１〜６のいずれかに記載の自主放送システム。
【請求項８】
自主放送対象の映像信号および音声信号の入力を受けて、所定のクロック信号に基づいてＲＦ信号を生成するＲＦ信号生成部に接続されるＲＦ監視装置であって、
前記ＲＦ信号生成部により生成されたＲＦ信号について、その監視対象項目として少なくともＭＥＲを計測する計測手段と、
前記クロック信号の周波数の初期値を用いて前記ＲＦ信号生成部で生成されたＲＦ信号について前記計測手段により計測されたＭＥＲの計測値が所定値以下である場合、前記周波数設定信号により前記クロック信号の周波数を所定の範囲内で変化させて前記計測手段により計測されたＭＥＲのピーク値に対応する前記周波数設定信号の値を求め、自主放送の送出時に、前記ＲＦ信号生成部に対して、前記求められた周波数設定信号の値を設定する制御手段と
を備えたＲＦ監視装置。
【発明の詳細な説明】
【技術分野】
【０００１】
本発明は、テレビジョン放送の共聴システムに係り、特に、自主放送コンテンツを複数の配信先に配信する自主放送システムおよびそのＲＦ監視装置に関する。（以下、本明細書ではテレビジョンを単にテレビともいう。）
【背景技術】
【０００２】
従来、ホテルや病院、学校などの施設によっては、自主放送コンテンツを複数の配信先に配信する館内自主放送装置を備えた共聴システムが運営されている。
【０００３】
共聴システムで問題が発生すると、放送配信先の各部屋のテレビ受信機に映像が映らなくなる。その場合、何が原因であるのかを探索し、復旧することが、維持管理をする側にとっては大きな課題である。また、あるテレビ受信機では受信できるが、別のテレビ受信機では受信できないような障害についても同様である。
【発明の概要】
【発明が解決しようとする課題】
【０００４】
上記のような問題の原因としては、自主放送コンテンツの信号品質の劣化や送出したデジタルストリームが規格から外れている場合などがある。しかし通常、館内自主放送装置が設置された施設には詳細に検証するための検査装置がないため、現場での原因究明は難しく、メンテナンスで大きな問題となった。
【０００５】
本発明はこのような背景においてなされたものであり、館内自主放送装置から生成されるＲＦ信号の信号品質の向上を図ることができる自主放送システムおよびそのＲＦ監視装置を提供することを目的とする。
【課題を解決するための手段】
【０００６】
本発明の自主放送システムは、自主放送対象の映像信号および音声信号の入力を受けて、所定のクロック信号に基づいてＲＦ信号を生成するＲＦ信号生成部と、周波数設定信号に基づいて前記ＲＦ信号生成部で用いるクロック信号の周波数を調整するクロック信号調整部と、前記ＲＦ信号生成部により生成されたＲＦ信号について、その監視対象項目として少なくともＭＥＲを計測する計測手段と、前記クロック信号の周波数の初期値を用いて前記ＲＦ信号生成部で生成されたＲＦ信号について前記計測手段により計測されたＭＥＲの計測値が所定値以下である場合、前記周波数設定信号により前記クロック信号の周波数を所定の範囲内で変化させて前記計測手段により計測されたＭＥＲのピーク値に対応する前記周波数設定信号の値を求め、自主放送の送出時に前記求められた周波数設定信号の値を設定する制御手段とを備える。
【０００７】
ＲＦ信号生成部において使用するクロック信号の周波数は、クロック信号調整部により周波数設定信号に基づいて調整される。一方、前記クロック信号の周波数の初期値を用いて前記ＲＦ信号生成部で生成されたＲＦ信号について前記計測手段によりＭＥＲが計測される。この計測されたＭＥＲの計測値が所定値以下である場合、前記周波数設定信号により前記クロック信号の周波数を所定の範囲内で変化させて前記計測手段により計測されたＭＥＲのピーク値に対応する前記周波数設定信号の値が求められる。自主放送の送出時に前記求められた周波数設定信号の値が設定される。この構成により、ＲＦ信号の信号品質に影響を与えるＭＥＲを適正にするクロック信号の周波数の設定を行うことが可能となる。
【０００８】
前記ＲＦ信号生成部は、デジタルアナログ変換器を含むことができる。このデジタルアナログ変換器は、前記周波数設定信号としてのデジタルデータを受けて対応するアナログ電圧を生成し、前記クロック信号調整部へ出力する。
【０００９】
各監視対象項目について警告を発する基準値となる警告値を登録する手段をさらに備え、前記制御手段は、前記計測手段により得られた各監視対象項目の計測値を前記警告値と比較し、前記計測値が前記警告値より劣化したとき、警告信号を発生し、および／またはネットワーク経由でホストサーバ側へその異常の発生および異常の内容を通知するようにしてもよい。
【００１０】
デジタル放送の受信アンテナに受信されたＲＦ信号を前記ＲＦ信号生成部から生成されたＲＦ信号と混合する混合器をさらに備え、前記計測手段は、前記混合器の出力を受ける放送チューナおよびこの放送チューナで選局された信号を復調する復調器とを有してもよい。この場合、前記計測手段は、定期的に予め定められた監視対象項目を計測し、前記制御手段は当該計測結果を通信ネットワーク経由でホストサーバへ送信する。前記監視対象項目は、例えば、特定のチャンネルの信号レベル、ＭＥＲ、Ｃ／Ｎ、ＢＥＲの少なくとも１つである。
【００１１】
前記ＲＦ監視装置は、前記ＲＦ信号を受けて他のＲＦ信号と混合する混合器の出力を受ける放送チューナと、この放送チューナの出力を復調する復調器を備えてもよい。
【００１２】
前記制御手段は、ホストサーバからの要求に応じてステータス情報を送信する、または、自主的にステータス情報をホストサーバへ送信するようにしてもよい。
【００１３】
本発明によるＲＦ監視装置は、自主放送対象の映像信号および音声信号の入力を受けて、所定のクロック信号に基づいてＲＦ信号を生成するＲＦ信号生成部に接続される。このＲＦ監視装置は、前記ＲＦ信号生成部により生成されたＲＦ信号について、その監視対象項目として少なくともＭＥＲを計測する計測手段と、前記クロック信号の周波数の初期値を用いて前記ＲＦ信号生成部で生成されたＲＦ信号について前記計測手段により計測されたＭＥＲの計測値が所定値以下である場合、前記周波数設定信号により前記クロック信号の周波数を所定の範囲内で変化させて前記計測手段により計測されたＭＥＲのピーク値に対応する前記周波数設定信号の値を求め、自主放送の送出時に、前記ＲＦ信号生成部に対して、前記求められた周波数設定信号の値を設定する制御手段とを備える。
【発明の効果】
【００１４】
館内自主放送装置から生成されるＲＦ信号の信号品質の向上を自動的に図ることができる。
【００１５】
また、計測手段により得られた各監視対象項目の計測値を警告値と比較し、計測値が警告値より劣化したとき、警告信号を発生することにより、自主放送システムの異常を自動的に監視することができる。また、ホストサーバ側へその異常の発生および異常の内容を通知することにより、遠隔的にも監視することができる。
【００１６】
また、ホストサーバからの要求に応じてステータス情報を送信する、または、自主的にステータス情報をホストサーバへ送信することにより、ホストサーバにおいて遠隔的に自主放送システムの状態を監視することができる。
【図面の簡単な説明】
【００１７】
【図１】本発明の実施の形態によるテレビ共聴システムの概略構成を示す図である。
【図２】図１内に示した自主放送システムの詳細な内部構成を表した図である。
【図３】本発明の実施の形態において、複数のＲＦ監視装置を通信ネットワークを介してホストサーバに接続する構成を示す図である。
【図４】本発明の実施の形態におけるＭＥＲの計測の手順を説明するための図である。
【図５】本発明の実施の形態におけるＭＥＲ自動調整処理の具体的な処理手順例を表したフローチャートである。
【図６】本発明の実施の形態におけるステータス監視処理の具体的な処理手順例を表したフローチャートである。
【図７】本発明の実施の形態における複数のＲＦ監視装置と１台のホストサーバとの間の情報のやりとりの例を表したシーケンス図である。
【発明を実施するための形態】
【００１８】
以下、本発明の実施の形態について図面を参照しながら詳細に説明する。
【００１９】
図１に、本実施の形態によるテレビ共聴システムの概略構成を示す。テレビ共聴システム２００は、自主放送システム１００、混合器３２、地上デジタル放送用アンテナ３２ａ、衛星デジタル放送用アンテナ３２ｂ、およびテレビ受信機４０ａ〜４０ｈを備えて構成される。混合器３２は、自主放送システム１００から出力される自主放送コンテンツのＲＦ信号と、地上デジタル放送用アンテナ３２ａから得られるＲＦ信号および衛星デジタル放送用アンテナ３２ｂから得られるＲＦ信号を混合する。混合されたＲＦ信号は、伝送線を介して複数のテレビ受信機４０ａ〜４０ｈへ伝送される。また、混合器３２の出力はＲＦ監視装置２０で監視される。
【００２０】
本実施の形態による自主放送システム１００は、地上デジタル放送の放送コンテンツを生成する館内自主放送装置１０と、共聴システムの問題を解析するためのＲＦ監視装置２０とを備える。ＲＦ監視装置２０は、フルセグメントチューナを含み、館内自主放送装置１０からの出力ＲＦ信号を監視し、館内自主放送装置１０をフィードバック制御する。本実施の形態におけるＲＦ監視機能としては、第１および第２の二つの機能を有する。
【００２１】
第１の機能は、共聴システム全体の信号品質を監視することにより、ＯＦＤＭ変調装置１６だけでなく、混合器、増幅器（館内自主放送装置内）などによる信号の劣化も検出する。信号の監視項目としては、出力レベル、ＭＥＲ、Ｃ／Ｎ、ＢＥＲなどで、ＶＨＦからＵＨＦの全帯域をチェックする。ＭＥＲはＯＦＤＭ変調装置１６によるＯＦＤＭ変調の変調誤差比（Modulation Error Ratio）であり、伝送途中に加わった雑音等によりコンスタレーション上の理想点からどの程度ずれているか表した数値である。Ｃ／Ｎとは、Carrier（キャリア：信号）とNoise（ノイズ：雑音）の比であり、受信信号の品質を表わす数値である。ＢＥＲとは、受信信号のビットエラーレートであり、"０"と"１"で送られたデジタル信号がどの程度誤って受信しているのかを表す数値である。ＢＥＲは、一定以上の信号劣化があると急激に変化するため、受信可否の判定に適している。一方、ＭＥＲ（またはＣＮ比）は、劣化状態が広範囲に観測できるため、受信出来なくなるまでの余裕度を把握することができる。 
【００２２】
本実施の形態では、特に、ＭＥＲの劣化をチェックして、館内自主放送装置１０内のＯＦＤＭ変調器のＩＦＦＴクロック信号を自動調整することで信号品質を維持する。
【００２３】
第２の機能は、館内自主放送装置１０自体の変調信号を監視し、所定の項目（出力レベル、ＭＥＲ、Ｃ／Ｎ、ＢＥＲなど）の監視結果を、ネットワークを使ってホストサーバ（監視センター）に通知する機能である。
【００２４】
図２に、自主放送システム１００の詳細な内部構成を表したブロック図を示す。館内自主放送装置１０は、映像・音声エンコーダ１１、ＰＳＩ生成部１２、マルチプレクサ１３、デジタルアナログ変換器（ＤＡＣ）１４、ＩＦＦＴクロック信号調整部１５、ＯＦＤＭ変調装置１６、およびレベル調整部１７を備える。
【００２５】
映像・音声エンコーダ１１は、外部からの自主放送の映像および音声入力信号（放送コンテンツ）を受けて符号化し、ＴＳ（トランスポートストリーム：Transport Stream）に変換する。自主放送の映像・音声はＤＶＤプレーヤ、ＶＴＲ等、任意の映像・音声源から得られるものである。このようなコンテンツ源の配置位置は自主放送システム１００の内外を問わない。
【００２６】
ＰＳＩ生成部１２は、地上デジタル放送に必要なＰＡＴ，ＰＭＴ，ＳＤＴ，ＢＩＴ，ＴＯＴ，ＮＩＴなどのＰＳＩ情報（番組特定情報）を生成する手段である。このようなＰＳＩ情報は、後述する制御部（制御手段）２７から設定することができる。ＰＳＩ情報は、ＰＳＩ生成部１２からＡＲＩＢ（Association of Radio Industries and Business）に準拠したタイミングでＴＳパケットとして送出される。
【００２７】
マルチプレクサ１３は、映像・音声エンコーダ１１から出力されるＴＳとＰＳＩ生成部１２から出力されるＴＳパケットとを多重化してＯＦＤＭ変調装置１６へ入力する。
【００２８】
ＯＦＤＭ変調装置１６は、ＯＦＤＭベースバンド変調回路および高速ＤＡＣ回路を含む。
【００２９】
ＯＦＤＭベースバンド変調回路は、ＡＲＩＢ  ＳＴＤ−Ｂ３１の規格で設計され、２０４バイトの放送ＴＳから、さまざまなエラー補正を加えて５６１７本（ＭＯＤＥ３の場合）のキャリアに載せるＩＱデータ（１／２／４／６ビット）を生成する。この後に同期用パイロット、ＯＦＤＭフレームを追加して、６ビットから１６ビットへ変換したデータにＩＦＦＴを施し、時間軸のＩＱデータ（各１６ビット）信号を生成する。このＩＱデータは、８ＭＨＺ（8.12698MHZ ）のＩ［１５：０］＋Ｑ［１５：０］ベースバンドデータである。最後にガードインターバルを追加してＯＦＤＭ信号を出力する。これら二つの１６ビットＩＱベースバンドデータは高速ＤＡＣ回路に入力され、デジタル的に任意周波数までアップコンバートされる。
【００３０】
すなわち、高速ＤＡＣ回路は、ベースバンドデータを任意のチャンネル周波数にまで上げるＲＦアップコンバータの働きをする。
【００３１】
レベル調整部１７は、ＯＦＤＭ変調装置１６の出力を受けて、レベル調整してＲＦ信号を出力するＲＦパワーアンプ回路で構成することができる。パワーアンプ回路はＡＰＣ（Automatic Power Control）方式でゲイン設定、即ち、入力電圧に応じた出力レベルの調整が可能なチップである。このレベル調整部１７は、館内自主放送装置のＲＦ信号の出力レベルを、アンテナに受信された一般放送のＲＦ信号の受信レベルと同程度に調整するためのものである。
【００３２】
ＩＦＦＴクロック信号調整部１５は、周波数設定信号に基づいてＲＦ信号生成部で用いるクロック信号の周波数を調整する機能を有し、電圧制御発振器（ＶＣＯ）を含み、ＤＡＣ回路１４の出力電圧に応じた周波数のクロック信号を生成する。ＩＦＦＴクロック信号は８ＭＨＺであり、ＶＣＯの出力はこの８倍の周波数で約６５ＭＨＺのクロック信号を使用する。ＶＣＯから出力されるクロック信号の周波数は入力電圧に応じて微調整できる。
【００３３】
ＤＡＣ回路１４にはＲＦ監視装置２０からの周波数設定データが入力される。したがって、周波数設定データに応じてＤＡＣ回路１４へ印加される電圧値が変わり、これによってＩＦＦＴクロック信号の周波数を調整することができる。ＩＦＦＴクロック信号は、ＯＦＤＭ変調のための基本クロック信号であり、この周波数が正確であれば、変調誤差（ＭＥＲ）の特性が極めて高くなる。ＩＦＦＴクロック信号が正確であれば、ＭＥＲが高く、変調周波数偏差が小さくなる。
【００３４】
本実施の形態では、館内自主放送装置１０の映像・音声エンコーダ１１、ＰＳＩ生成部１２、マルチプレクサ１３、デジタルアナログ変換器（ＤＡＣ）１４、ＯＦＤＭ変調装置１６、およびレベル調整部１７が、本発明のＲＦ信号生成部１９を構成している。ＲＦ信号生成部１９は、自主放送対象の映像信号および音声信号の入力を受けて、所定のクロック信号に基づいてＲＦ信号を生成する。
【００３５】
次に、ＲＦ監視装置２０について説明する。ＲＦ監視装置２０は、フルセグメントの地上デジタル放送チューナ２１、復調器２２、計測部２２ａ、ＡＤＣ回路２３、衛星デジタル放送（ＢＳ／ＣＳ１１０）チューナ２４、復調器２５、計測部２５ａ、ＡＤＣ回路２６、制御部２７、不揮発性メモリ（例えばフラッシュメモリ）２８、制御部２７およびメモリ（ＳＤＲＡＭ： Synchronous Dynamic Random Access Memory)３０を備える。
【００３６】
地上デジタル放送チューナ２１は、制御部２７からの制御信号に応じて、フルセグメントの地上デジタル放送の指定されたチャンネルのＩＦ信号を選択して出力する。
【００３７】
復調器２２は、地上デジタル放送チューナ２１からの指定チャンネルのＩＦ信号を受けて、そのベースバンド信号にＦＦＴを施してキャリアごとのＩＱデータを抽出し、エラー補正したのちにＴＳを生成する。また、復調器２２には、その内部の信号に基づいてＣ／Ｎ、ＢＥＲ，ＭＥＲを計測する計測部２２ａが接続され（または包含され）、計測部２２ａがその計測結果を制御部２７へ出力する。
【００３８】
ＡＤＣ回路２３は、地上デジタル放送チューナ２１からＡＧＣ電圧を表すアナログ信号を受けて、当該チャンネルの信号レベルを表すデジタル信号に変換し、制御部２７へ出力する。この信号レベルは、チューナからのＡＧＣ値に基づいて求めるが、チューナからのＡＧＣ値は必ずしも精度が高くない。そこで、外部にＡＤＣ回路２３を設け、複数のＡＧＣ値の平均値を求めてこれを信号レベルとする。
【００３９】
衛星デジタル放送チューナ２４は、制御部２７からの制御信号に応じて、衛星デジタル放送の指定されたチャンネルのＩＦ信号を選択して出力する。
【００４０】
復調器２５は、衛星デジタル放送チューナ２４からの指定チャンネルのＩＦ信号を受けて、その指定チャンネルのＴＳを復調する。また、復調器２５には、その内部の信号に基づいてＣ／Ｎ、ＢＥＲを計測する計測部２５ａが接続され（または包含され）、計測部２５ａがその計測結果を制御部２７へ出力する。
【００４１】
ＡＤＣ回路２６は、衛星デジタル放送２４からＡＧＣ電圧を表すアナログ信号を受けて、当該チャンネルの信号レベルをＡ／Ｄ変換し、制御部２７へ出力する。
【００４２】
制御部２７は、制御プログラムに従って、ＲＦ監視装置２０の全体の制御を司るＣＰＵ等の処理部を含む。不揮発性メモリ２８は制御プログラムやデータを不揮発的に記憶するメモリである。データには、ＤＡＣ回路１４へ与える周波数設定データが含まれる。ＲＡＭ２９は、制御部２７の作業エリアおよび一時データ記憶エリア等として利用されるメモリである。
【００４３】
図示しないが、ＲＦ監視装置２０にはさらに、データを表示して確認することができる表示装置を備えてもよい。
【００４４】
図３に、複数のＲＦ監視装置２０を通信ネットワーク５０を介してホストサーバ６０に接続する構成を示す。ホストサーバ６０には、各ＲＦ監視装置２０から受信したステータス情報等の各種データを格納する記憶部６２、ユーザの指示や情報の入力を受け付ける入力部６４、および、ステータス情報や警告を表示する表示部６６が接続されている。その他、警告音や音声メッセージ等を出力する音響出力部（図示せず）が接続されてもよい。
【００４５】
制御部２７が実行する処理は、主として、ＭＥＲ自動調整処理と、ステータス監視処理である。
【００４６】
まず、ＭＥＲ自動調整処理について説明する。
【００４７】
ＭＥＲ自動調整処理では、地上デジタル放送の監視チャンネルのＭＥＲを計測して、ＭＥＲの計測値が所定値以下である場合、ＩＦＦＴクロックの周波数を所定の範囲内で変化させてＭＥＲを計測し、ＭＥＲ計測値のピーク値に対応する周波数設定信号の値を求め、自主放送の送出時に当該求められた周波数設定信号の値を設定する制御を行う。
【００４８】
その際、効率的にピーク値を検出するために、まずは図４（ａ）に示すように、広い周波数範囲で粗い周波数インターバルでＭＥＲの計測を行い、ついで、図４（ｂ）に示すように、見つかったピーク値を含む狭い周波数範囲（局所周波数範囲）でより細かい周波数インターバルでＭＥＲの計測を行う。ここでは２段階の周波数インターバルを使用したが、１段階または３段階以上であってもよい。
【００４９】
図５に、ＭＥＲ自動調整処理の具体的な処理手順例を表したフローチャートを示す。この処理は、システムの導入時に初期的に行う他、定期的に実行することができる。
【００５０】
まず、工場設定時のデフォルト（初期設定）の周波数のＩＦＦＴクロックを生成する（Ｓ１１）。そのために、周波数設定値の初期値をＤＡＣ回路１４へ出力する。
【００５１】
ついで、地上デジタル放送の予め指定された監視チャンネルにチューニングするよう地上デジタル放送チューナ２１を制御する（Ｓ１２）。
【００５２】
そこで、上記デフォルト周波数のＩＦＦＴクロック信号でＯＦＤＭ変調装置１６を駆動して生成した当該監視チャンネルの地上デジタル放送信号についてＭＥＲの計測を行う（Ｓ１３）。
【００５３】
このＭＥＲの計測値（ｄＢ値）が予め定められた所定値を下回ったかどうかを確認する（Ｓ１４）。所定値以上であれば、この処理を終了する。
【００５４】
所定値未満であれば、上述した広い周波数範囲でのＭＥＲ計測処理を繰り返して実行する。すなわち、新たな周波数のＩＦＦＴクロック信号を生成するために、広い周波数範囲での第１の周波数のＩＦＦＴクロック信号を生成するための周波数設定値をＤＡＣ回路１４へ出力する（Ｓ１５）。そこで、ＭＥＲの計測を行う（Ｓ１６）。
【００５５】
ついで、広い周波数範囲でのＭＥＲ計測が終了するまで（Ｓ１７）、第１の周波数インターバルｆ１で周波数を更新して（Ｓ１８）、ステップＳ１５へ戻り、次のＩＦＦＴクロック信号を生成するため次の周波数設定値をＤＡＣ回路１４へ出力する。
【００５６】
広い周波数範囲でのＭＥＲ計測が終了したら、ＭＥＲの周波数分布特性を分析し、ＭＥＲのピーク部（最大値）を特定する（Ｓ１９）。
【００５７】
その後、特定されたピーク部の周辺の、より狭い周波数範囲内において、より細かい周波数インターバルでＭＥＲの計測を行う。すなわち、当該狭い周波数範囲内の第１の周波数（例えばこの周波数範囲内の最小周波数）において新ＩＦＦＴクロック信号を生成する（Ｓ２０）。そのために、当該周波数に対応する周波数設定値をＤＡＣ回路１４へ出力する。
【００５８】
ついで、新ＩＦＦＴクロック信号でＯＦＤＭ変調装置１６を駆動して生成した当該監視チャンネルの地上デジタル放送信号についてＭＥＲの計測を行う（Ｓ２１）。狭い周波数範囲でのＭＥＲ計測が終了するまで（Ｓ２２）、第２の周波数インターバルｆ２（＜ｆ１）で周波数を更新して（Ｓ２３）、ステップＳ１５へ戻り、次の新ＩＦＦＴクロック信号を生成するため次の周波数設定値ＤＡＣ回路１４へ出力する。
【００５９】
狭い周波数範囲でのＭＥＲ計測が終了したら、ＭＥＲの周波数分布特性を分析し、ＭＥＲのピーク部を特定するとともに、このピーク値に対応する周波数設定値（デジタル値）を不揮発性メモリに記憶する（Ｓ２４）。この記憶された周波数設定値は、以降の館内自主放送装置１０の起動時にＩＦＦＴクロック信号の設定のために、読み出してＤＡＣ回路１４に供給される。
【００６０】
次に、ステータス監視処理について説明する。
【００６１】
図６に、ステータス監視処理の具体的な処理手順例を表したフローチャートを示す。この処理は、ＣＰＵが定期的に実行する。定期的とは、例えば、１時間毎、６時間毎、半日毎、１日毎、等の一定時間毎である。
【００６２】
まず、監視結果に応じて警告を発する監視対象項目（本実施の形態では、信号レベル、ＭＥＲ、Ｃ／Ｎ、ＢＥＲ等）の各々について警告を発する基準値となる警告値を登録する（Ｓ３１)。監視対象項目について警告を発する基準値となる警告値を登録する手段は、制御部２７により構成される。
【００６３】
ついで、チャンネルサーチを行い（Ｓ３２）、受信可能なチャンネルを特定して、そのチャンネルを登録しておく（Ｓ３３）。ステータス監視処理は、好ましくは、地上波デジタル放送および衛星デジタル放送の両方において実行する。
【００６４】
以下、監視チャンネルを順次更新して、監視対象項目の監視を行う。すなわち、まず、第１の監視チャンネルにチューニングして（Ｓ３４）、監視対象の項目の計測を行う（Ｓ３５）。監視対象の項目は、各チャンネルの信号レベル、Ｃ／Ｎ、ＢＥＲ、ＭＥＲの一定時間毎の計測値である。チャンネルは、自主放送だけでなく一般放送の地上デジタル放送、さらには衛星デジタル放送も含めることができる。この例では、少なくともＭＥＲ、Ｃ／Ｎ、ＢＥＲをその警告値と比較し、警告値を越える異常があるかを確認する（Ｓ３６）。
【００６５】
警告値を越える異常があった場合には、制御部２７からその項目について警告接点の出力を行う（Ｓ３７）。警告接点とは、フォトカプラやリレー等のスイッチング素子を用いて、異常の発生時にＯＮ信号を生成するためのものである。ＯＮ信号をどのように利用するかは任意である。これとともに、ホストサーバへその異常の発生および内容を報知するようにしてもよい。
【００６６】
ついで、現在のチャンネルの、計測された各項目について、計測結果としてのステータスをＲＦ監視装置２０内に記録し、および／または、ネットワーク経由で外部のホストサーバに送信し、記録・表示させる（Ｓ３８）。
【００６７】
その後、次の監視チャンネルがあれば（Ｓ３９）、チャンネルを更新し（Ｓ４０）、ステップＳ３４へ戻る。次の監視チャンネルがなければ、この処理を終了する。
【００６８】
なお、ステップＳ３１での警告値の登録は、ステータス監視処理の度に最初に実行するものとしたが、ステータス監視処理とは別に初期的に実行しておいてもよい。
【００６９】
ここで、通信ネットワーク経由で共聴システムのステータス情報の収集および異常の監視を行う方法について説明する。
【００７０】
この例では、１以上の共聴システムについて、定期的にその検査内容としてのステータス情報をスケジューラに従ってホストサーバに伝送する。そのためには、SNMP（simple network management protocol）を利用することができる。ＳＮＭＰとは、ネットワークを管理するためのプロトコルである。ホストサーバにＳＮＭＰマネージャというソフトウェアを搭載するとともに、共聴システムのＲＦ監視装置２０にＳＮＭＰエージェントというソフトウェアを搭載する。ＳＮＭＰマネージャとＳＮＭＰエージェントとの間でＳＮＭＰプロトコルに則って、ＳＮＭＰマネージャが各ＳＮＭＰエージェントからステータス情報を収集することができる。この動作は、ＳＮＭＰマネージャが定期的にエージェントから管理情報を読み出すポーリングという動作によって行える。これにより、ＳＮＭＰマネージャにおいて自動的に各共聴システムのステータス情報を取得し、記憶しておくことができる。
【００７１】
また、ＳＮＭＰエージェントから異常データをＳＮＭＰマネージャへ通知することができる。この動作は、逆にＳＮＭＰエージェントからＳＮＭＰマネージャに情報を通知するトラップという動作によって行える。これにより、いずれかの共聴システムで異常が発生したときに、直ちにホストサーバ側へその異常の発生および異常の内容を通知することができる。  
【００７２】
図７に、複数のＲＦ監視装置２０と１台のホストサーバとの間の情報のやりとりの例を表したシーケンス図を示す。
【００７３】
ホストサーバは、各ＲＦ監視装置に対して順次、ポーリングを行う（Ｓ７１〜Ｓ７６）。各ＲＦ監視装置２０は、各々、定期的に監視対象項目の計測を行う（Ｓ５１，Ｓ５３，Ｓ５５，…，Ｓ６１，Ｓ６３，Ｓ６５，…）。各ＲＦ監視装置２０は、ホストサーバからのポーリングに応答して、直前の計測により得られた監視対象項目の値をステータス情報として、ホストサーバへ返送する（Ｓ５２，Ｓ５４，Ｓ５７，…，Ｓ６２，Ｓ６４，Ｓ６６，…）。ＲＦ監視装置２０は、いずれかの計測によりいずれかの監視対象項目について異常が発見されたとき、当該監視対象項目について警告設定出力を発生する（Ｓ５６）。また、これに伴って、ホストサーバへ返送するステータス情報に、当該監視対象項目について異常が発生した旨の異常報告を含める。
【００７４】
本実施の形態によれば、監視対象項目については、ネットワーク経由で情報を取り込むことができるので、自主放送システム１００自体に問題があれば、どこが問題か簡単に把握することができる。特に、信号の監視をネットワーク経由で、自動監視できるので、現場に立ち会わなくても済むことで、非常に便利である。また、共聴システム全体の信号品質を把握できるので、レベルメータやスペクトラムアナライザ、高価な地上デジタル解析装置を現場に持参することなく、現場で調整を行うことができる。特に各チャンネルのレベル調整が初期設置のときに必要となるが、本装置を使うことで簡単に検査することができる。
【００７５】
一般に、テレビ受信機の障害は大きく二つに分類される。その一つは、放送電波が微弱で信号品質が悪い場合に生じる受信障害である。すなわり、信号品質が悪い場合に受信障害が起こる。そのような受信障害の判断の指標に使われるのが、Ｃ／ＮとＢＥＲ等である。例えば、Ｃ／Ｎは２０ｄＢ以上、ＢＥＲは１０のマイナス４乗以下が理想になる。もう一つの障害は、自主放送を流したときに、テレビリモコンキーの設定や事業者識別などとして既存チャンネルと同じものを設定してしまった場合などに起こり得る。仮に既存のチャンネルと同じリモコンキーとサービス番号を自主放送に指定してしまうと、当該チャンネルが映らないといった障害が生じる。同じネットワークＩＤの複数のストリームがあると、テレビ受信機は片方のみを登録して、もう片方を無視するからである。このような障害は、自主放送のＴＳを解析する（例えばストリームの定義が間違っていないかを解析する）ことにより検査することが可能である。本実施の形態では、混合器３２の出力を受けるＲＦ監視装置２０内にチューナを設けることにより、館内自主放送装置１０が生成しているストリーム（ＴＳ）、およびそれ以外の一般放送のストリーム（ＴＳ）もＲＦ監視装置２０において不揮発性メモリ２８やＲＡＭ２９等の記憶装置に記録することができる。記録したストリームを通信ネットワーク経由でホストサーバへ送信すれば、遠隔地での解析に使用することができる。複数の自主放送システム１００についてホストサーバにおいて遠隔監視をすることで、ホストサーバから全ての自主放送システム１００の状態を知ることができる。単にＯＦＤＭ変調装置だけでなく、その建物の受信状態をチェックし、チェック結果を通報することができる。
【００７６】
以上、本発明の好適な実施の形態について説明したが、上記で言及した以外にも種々の変形、変更を行うことが可能である。
【００７７】
例えば、ホストサーバでのステータス情報の収集は、ホストサーバから各ＲＦ監視装置のポーリングにより行う例を示したが、必ずしもポーリングに限るものではない。
【００７８】
ＲＦ監視装置とホストサーバとの間で、ＳＮＭＰプロトコルに則って情報のやりとりを行う例を示したが、同プロトコルに限るものではない。
【００７９】
ＲＦ監視装置は、ホストサーバからの要求に応じてステータス情報を送信するものとしたが、ＲＦ監視装置が自主的にステータス情報をホストサーバへ送信するようにしてもよい。
【符号の説明】
【００８０】
１０…館内自主放送装置
１１…映像・音声エンコーダ
１２…ＰＳＩ生成部
１３…マルチプレクサ
１４…ＤＡＣ回路
１５…クロック信号調整部
１６…ＯＦＤＭ変調装置
１７…レベル調整部
２０…ＲＦ監視装置
２１…地上デジタル放送チューナ
２２…復調器
２２ａ…計測部
２３…ＡＤＣ回路
２４…衛星デジタル放送チューナ
２５…復調器
２５ａ…計測部
２６…ＡＤＣ回路
２７…制御部
２８…不揮発性メモリ
２９…ＲＡＭ
３２…混合器
３２ａ…地上デジタル放送用アンテナ
３２ｂ…衛星デジタル放送用アンテナ
４０ａ-４０ｅ…テレビ受信機
５０…通信ネットワーク
６０…ホストサーバ
６２…記憶部
６４…入力部
６６…表示部
１００…自主放送システム
２００…テレビ共聴システム
【図１】
2014049806.tif 000003
【図２】
2014049806.tif 000004
【図３】
2014049806.tif 000005
【図４】
2014049806.tif 000006
【図５】
2014049806.tif 000007
【図６】
2014049806.tif 000008
【図７】
2014049806.tif 000009